(57)【要約】【課題】骨伝導スピーカを外部から見えにくくするために耳介の後ろ側に配置する構成でありながら、健聴者が使用した場合においても、音声を十分な音量で伝達することが可能な骨導レシーバを提供することを課題とする。【解決手段】  装着時に骨伝導スピーカ１が耳介２０の後ろ側に位置するように配置し、その位置において骨伝導スピーカ１の振動面３が直接又は間接的に耳介２０の後面に当接して、耳介２０を振動板として作用させることとした。好ましくは、骨伝導スピーカ１の振動面３は、耳介２０の後面に対向して前後動可能にされ、また、水平方向に回転可能にされる。【選択図】図１
2014097744.tif 000002
【特許請求の範囲】
【請求項１】
装着時に骨伝導スピーカが耳介の後ろ側に位置するように配置され、その位置において前記骨伝導スピーカの振動面が直接又は間接的に耳介の後面に当接して、前記耳介を振動板として作用させることを特徴とする骨導レシーバ。
【請求項２】
前記骨伝導スピーカの振動面を、耳介の後面に対向して前後動可能となるようにした、請求項１に記載の骨導レシーバ。
【請求項３】
前記骨伝導スピーカの振動面は、前記骨伝導スピーカ全体が前後方向に移動可能に設置されることにより、耳介の後面に対向して前後動可能である、請求項２に記載の骨導レシーバ。
【請求項４】
前記骨伝導スピーカは、メガネのつる又は耳掛け式ヘッドバンドに沿って前後動可能に設置される、請求項３に記載の骨伝導スピーカ。
【請求項５】
前記骨伝導スピーカは、メガネのつる又は耳掛け式ヘッドバンドに沿って前後動可能に設置されたスライド部材に固定されることにより前後動可能にされる、請求項４に記載の骨伝導スピーカ。
【請求項６】
前記骨伝導スピーカは、前記骨伝導スピーカを前方に付勢しつつ支持する弾性材の弾性力により、耳介の後面に対向して前後動可能にされる、請求項３に記載の骨導レシーバ。
【請求項７】
前記弾性材は、メガネのつる端部のモダンを肥大化して形成したスピーカ保持部内に配備される、請求項６に記載の骨導レシーバ。
【請求項８】
前記弾性材は前記骨伝導スピーカと一体にされ、メガネのつる又は耳掛け式ヘッドバンドに沿って前後動可能に設置された前記スライド部材に設置される、請求項６に記載の骨導レシーバ。
【請求項９】
前記骨伝導スピーカは、水平方向に回転可能に支持される、請求項１乃至８のいずれかに記載の骨導レシーバ。
【発明の詳細な説明】
【技術分野】
【０００１】
本発明は骨導レシーバに関するものであり、より詳細には、健常者及び難聴者が共に支障なく使用することができる、骨伝導スピーカを用いた骨導レシーバに関するものである。
【背景技術】
【０００２】
骨伝導スピーカを用いる場合、その骨伝導出力の最も効率のよい伝達場所は、耳介の後ろ側の乳様突起部と考えられており、骨伝導スピーカは、その振動面が乳様突起部に接圧するように配置することが最も好ましいとされている。また、骨伝導スピーカを耳掛け式ヘッドセットやメガネのつるに組み付けた骨導レシーバにおいては、骨伝導スピーカは、できるだけ目立たないように配置することが要請される関係上、前方からは見えにくい耳介の後ろ側に配置され、且つ、乳様突起部に接圧するように配置されるのが一般である。【０００３】
ところで、健聴者が骨伝導スピーカを使用する場合において骨伝導出力を最も効率よく伝達することができるのは、骨伝導スピーカを耳孔周辺（特に耳珠上）に配置した場合である。というのは、上記のように、骨伝導スピーカが耳介の後ろ側において乳様突起部に接圧する位置に配置された骨導レシーバを健聴者が使用した場合には、鼓膜情報が優先されるために、骨伝導出力を十分な音量で伝達することが難しくなるからである。【０００４】
しかるに、健聴者の使用を考慮して、骨導レシーバの骨伝導スピーカを耳孔周辺（特に耳珠上）に配置することとした場合には、できるだけ骨伝導スピーカが外部から見えないように配置するとの要請に反することになるため、通例、この要請が優先されて、骨伝導スピーカを耳介の後ろ側に配置する構成とされている。その結果、これを健聴者が使用した場合には、十分な音量での情報伝達が難しいというジレンマが生ずる。
【先行技術文献】
【特許文献】
【０００５】
【特許文献１】特開２０００−１６６９５９号公報
【発明の概要】
【発明が解決しようとする課題】
【０００６】
上述したように、骨導レシーバの骨伝導スピーカは、できるだけ目立たないように配置することの要請が強いために、一般には耳介の後ろ側に配置されているが、そのような構成の骨導レシーバを健聴者が使用した場合には、十分な音量での情報伝達が難しいという問題があった。そこで本発明は、骨伝導スピーカを外部から見えにくくするために耳介の後ろ側に配置する構成でありながら、健聴者が使用した場合においても、音声を十分な音量で伝達することが可能であり、難聴者が使用しても何ら支障のない骨導レシーバを提供することを課題とするものである。
【課題を解決するための手段】
【０００７】
上記課題を解決するための請求項１に係る発明は、装着時に骨伝導スピーカが耳介の後ろ側に位置するように配置され、その位置において前記骨伝導スピーカの振動面が直接又は間接的に耳介の後面に当接して、前記耳介を振動板として作用させることを特徴とする骨導レシーバである。【０００８】
好ましい実施形態においては、前記骨伝導スピーカの振動面が、耳介の後面に対向して前後動可能となるように構成される。その場合、前記骨伝導スピーカの振動面は、前記骨伝導スピーカ全体が前後方向に移動可能に設置されることにより、耳介の後面に対向して前後動可能となるようにされる。【０００９】
一実施形態においては、前記骨伝導スピーカは、メガネのつる又は耳掛け式ヘッドバンドに沿って前後動可能に設置される。その場合前記骨伝導スピーカは、メガネのつる又は耳掛け式ヘッドバンドに沿って前後動可能に設置されたスライド部材に固定されることにより前後動可能にされる。【００１０】
また、一実施形態においては、前記骨伝導スピーカは、前記骨伝導スピーカを前方に付勢しつつ支持する弾性材の弾性力により、耳介の後面に対向して前後動可能となるようにされ。前記弾性材は、例えば、メガネのつる端部のモダンを肥大化して形成したスピーカ保持部内に配備される。また、前記弾性材は、前記骨伝導スピーカと一体にされて、メガネのつる又は耳掛け式ヘッドバンドに沿って前後動可能に設置された前記スライド部材に設置されることもある。【００１１】
更に一実施形態においては、前記骨伝導スピーカは、水平方向に回転可能に支持されるように構成される。
【発明の効果】
【００１２】
本発明に係る骨導レシーバは上記のとおりの構成であって、骨伝導スピーカが外部から見えにくい耳介の後ろ側に配置される構成でありながら、使用時に骨伝導スピーカの振動面が耳介の裏側に直接的に又は間接的に当接するために、その振動出力が直接耳介に伝達されて耳介自体が振動板として作用して音圧を発生させる。そして、その音圧が耳孔を経由して鼓膜に到達するので、健聴者が使用した場合においても十分な音量での聴取が可能となる。また、難聴者が使用した場合には、振動出力は耳介及びその周辺から伝達されるため、頭蓋骨を直接振動させるよりも出力は小さくなるものの、十分に聴取可能となる。【００１３】
また、骨伝導スピーカは、メガネのつる又は耳掛け式ヘッドバンドに沿って進退可能に設置され、且つ、水平方向に回転可能に支持される構成であるため、健聴者が使用する場合は、耳介を振動させるように振動面が耳介に当接する向きに回動させて使用し、難聴者が使用する場合又は耳介が振動することによって発生する音漏れを抑えたい場合は、振動面が乳様突起側に向くように回動させて使用するといった使い分けが可能となる効果がある。
【図面の簡単な説明】
【００１４】
【図１】本発明に係る骨導レシーバの一実施形態（メガネ型）の斜視図である。
【図２】図１に示す実施形態における要部拡大図である。
【図３】本発明に係る骨導レシーバの他の実施形態（耳掛け型ヘッドセット）の斜視図である。
【図４】本発明に係る骨導レシーバの更に他の実施形態（メガネ型）の斜視図である。
【図５】図４に示す実施形態の要部を示す斜視図である。
【図６】図４に示す実施形態の要部の構成例を示す縦断面図である。
【図７】本発明に係る骨導レシーバにおける骨伝導スピーカの耳介に対する接触状態を示す横断面図である。
【発明を実施するための形態】
【００１５】
本発明を実施するための形態につき、添付図面を参照しつつ説明する。本発明に係る骨導レシーバは、装着時に骨伝導スピーカ１が耳介２０の後ろ側に位置し、その位置において骨伝導スピーカ１の振動面３の少なくとも一部が耳介２０の後面に直接又は間接的に当接するように配置されることを特徴とするものである。なお、骨伝導スピーカ１自体の基本的構成は、一般のものと特に変わりはない。
【００１６】
本骨導レシーバは、通例、メガネ型又は耳掛け型ヘッドセットの形態に構成される。図１に示す第１の実施形態は、本骨導レシーバをメガネ型に構成したもので、その場合骨伝導スピーカ１は、メガネの一方又は双方のつる１１の中間部に取り付けられる。その取り付け位置は、装着時において骨伝導スピーカ１が耳介２０の後ろ側にくる位置であり、且つ、振動面３の少なくとも一部が耳介２０の後面に当接する位置である。
【００１７】
言うまでもなく、頭部回りサイズは人によって異なるので、使用時において骨伝導スピーカ１の振動面３の少なくとも一部が耳介２０の後面に確実に当接するようにするために、骨伝導スピーカ１がつる１１に沿って前後動可能となるように構成することが好ましい。
【００１８】
つる１１に沿って前後動可能にするための手段は特に問わないが、例えば、図１及び図２に示されるように、ケース２の上面に、つる１１を摺動可能に挿通するスライド部材４を配設する構成が簡便である。この構成の場合は、つる１１を摘持してスライド部材４を押し引きすることにより、骨伝導スピーカ１を所望の位置にずらし動かすことができる。なお、この構成の場合、骨伝導スピーカ１が無闇に移動することがないよう、スライド部材４に対してつる１１が比較的密に収まるようにしたりして、ある程度の摺動抵抗を持たせる必要がある。
【００１９】
更に好ましい実施形態においては、骨伝導スピーカ１は、スライド部材４に対して水平方向に回転可能となるように支持される（図２参照）。そのような構成とするためには、例えば、ケース２を、スライド部材４の底面に回動可能に設置した吊下軸５に吊持させ、あるいは、ケース２を、スライド部材４の底面に固定した吊下軸５に回転可能に吊持させるようにすればよい。
【００２０】
図３に示す第２の実施形態は、本骨導レシーバをヘッドセット型の形態に構成したもので、その場合骨伝導スピーカ１は、ヘッドバンド１２の一方の側又は双方の側に設置される。その取り付け位置は、上記メガネ型の場合と同様に、装着時において骨伝導スピーカ１が耳介２０の後ろ側にくる位置であり、且つ、その振動面３の少なくとも一部が耳介２０の後面に当接する位置である。
【００２１】
この第２の実施形態の場合も、使用時において骨伝導スピーカ１の振動面３の少なくとも一部が耳介２０の後面に確実に当接するようにするために、骨伝導スピーカ１がヘッドバンド１２に沿って前後動可能となるようにし、また、骨伝導スピーカ１がスライド部材４に対して水平方向に回転可能となるようにすることが好ましい。そのための構成は、上記メガネ型の場合に準ずる。
【００２２】
図４乃至図６に示す第３の実施形態は、上記第１の実施形態と同様に、本骨導レシーバをメガネ型の形態に構成するものであるが、骨伝導スピーカ１を第１の実施形態のようにつる１１の中間部に設置するのではなく、つる１１の端部のモダンを肥大化して形成したスピーカ保持部１３に組み込むようにしたものである。
【００２３】
この場合骨伝導スピーカ１の振動面３は、骨伝導スピーカ１を前方に付勢しつつ支持する弾性材７の弾性力により、耳介２０の後面に対向して前後動可能にされる。弾性材７は弾性樹脂ブロック又はスプリングであって、スピーカ保持部１３内に配備される。
【００２４】
図４、図５及び図６（Ａ）に示す構成例における骨伝導スピーカ１は、スピーカ保持部１３の前端面に内向きに形成された支持筒１４において摺動可能に支持される摺動軸６の一端に固定される。摺動軸６の他端はスピーカ保持部１３内に臨み、弾性材７に固定される。この場合骨伝導スピーカ１は、常時弾性材７の弾性力によって前方に付勢された状態にあって、負荷が加わらない限り、前方に出切った状態となる。通例、摺動軸６の内端部にフランジ状のストッパー６ａが形成され、ストッパー６ａが支持筒１４の内端部に係止されることにより、摺動軸６の前方移動端が規制される。
【００２５】
また、図６（Ｂ）に示す構成例における骨伝導スピーカ１は、スピーカ保持部１３内において弾性材７に固定設置され、その振動面３にコンタクトピース８が固定される。コンタクトピース８は、支持筒１４において摺動自在に支持され、スピーカ保持部１３から突出する先端部に、通例、前面が曲面にされたコンタクト８ｂを備える。このコンタクトピース８の内端部にも、上記と同様の目的でストッパー８ａが形成される。
【００２６】
これらの場合はいずれも、骨伝導スピーカ１の振動面３（図６（Ａ）の場合）、あるいは、コンタクト８ｂ（図６（Ｂ）の場合）が、使用時に耳介２０の後面に当接した際に使用者の頭部サイズ等に応じて押し込まれるが、弾性材７の弾性力によってある程度の位置において安定して、耳介２０の後面に対する適度な接圧力を供給するよう作用する。
【００２７】
なお、この実施形態の場合の振動面３の前後方向への移動ストロークは、弾性材７の伸縮度に依存するために小さな範囲である。従って、骨伝導スピーカ１をより長いストローク移動させるために、上記骨伝導スピーカ１の全体を移動可能にする方法と併用することもある。そのためには例えば、スピーカ保持部１３のように、弾性材７で骨伝導スピーカ１を保持させた構成をコンパクトに独立したものとして構成し、上記スライド部材４に固定することが考えられる。
【００２８】
上記いずれの実施形態においても、骨伝導スピーカ１は、装着時において耳介２０の後ろ側に位置し、且つ、振動面３が直接又は振動面３に固定されたコンタクトピース８を介して耳介２０の後面に、適当な接圧力を以て当接する位置にセットされる（図７参照）。そのセット操作は、各使用者が自らの頭部サイズに応じて骨伝導スピーカ１を移動調整することにより、あるいは、弾性材７の作用によって自動的に行われる。
【００２９】
このようにして、骨伝導スピーカ１の振動面３を耳介２０の裏面に直接的に又は間接的に当てて振動出力を伝達すると、耳介２０自体が振動板となって音圧が発生する。そして、その音圧は、当然耳孔２１を経由して鼓膜に到達することになるので、健聴者であれば十分な音量での聴取が可能となる。つまり、骨伝導スピーカ１を耳珠周辺に当てた時と同様に、音圧及び振動出力の双方の伝達が可能となるのである。また、難聴者が使用する場合には、振動出力が耳介２０及びその周辺から伝達されるので、頭蓋骨を直接振動させるよりも出力は小さくなるものの、十分に聴取可能となる。
【００３０】
骨伝導スピーカ１を前後動可能且つ回転可能に設置する場合は、健聴者が使用する際には、耳介２０を振動させるように、骨伝導スピーカ１を振動面３が耳介２０の裏面に当たるような位置及び向きに移動させ、難聴者が使用する場合、あるいは、耳介２０が振動することによって発生する音漏れを抑えたい場合には、骨伝導スピーカ１を乳様突起に向けてずらし動かして使用するといったように、状況に応じての使い分けが可能となる。
【００３１】
この発明をある程度詳細にその最も好ましい実施形態について説明してきたが、この発明の精神と範囲に反することなしに広範に異なる実施形態を構成することができることは明白である。従って、この発明は、請求の範囲において限定した以外はその特定の実施形態に制約されるものではない。
【図１】
2014097744.tif 000003
【図２】
2014097744.tif 000004
【図３】
2014097744.tif 000005
【図４】
2014097744.tif 000006
【図５】
2014097744.tif 000007
【図６】
2014097744.tif 000008
【図７】
2014097744.tif 000009
【国際調査報告】
2014097744.tif 000010
2014097744.tif 000011
2014097744.tif 000012
2014097744.tif 000013